(57)【要約】【課題】健常者は無論として難聴者であっても確実に聞くことのできる骨伝導スピーカを例えば、枕や椅子、あるいは自動車等のヘッドレストに自由に取付けて使用できるようにする。【解決手段】操作ユニット部３と骨伝導スピーカ３５を有するスピーカユニット部５とをそれぞれ独立したユニット構造とし、前記スピーカユニット部５に、枕２７に取付けるための取付け手段２５を設けるようにする。【選択図】      図１
2004275419.tif 000002
【特許請求の範囲】
【請求項１】
入力部と、その入力部からの入力信号を出力信号として出力する出力部とを備えた操作ユニット部と、前記操作ユニット部とは独立して構成され少なくとも前記出力部からの出力信号を受信する受信部とその受信部で受けた信号に基づき音声振動として出力する骨伝導スピーカと所定の場所へ取付けるための取付け手段とを備えたスピーカユニット部から成ることを特徴とするヘッドホーン内蔵型頭部受け装置。
【請求項２】
前記入力部は外部からの音声を電気の振動に変えて送るマイクロホーンであることを特徴とする請求項１記載のヘッドホーン内蔵型頭部受け装置。
【請求項３】
前記骨伝導スピーカは、複数に分割された独立した制振材によって支持されていることを特徴とする請求項１記載のヘッドホーン内蔵型頭部受け装置。
【請求項４】
前記制振材と制振材の間は、その制振材の変形を抑制する部材で構成されていることを特徴とする請求項１記載のヘッドホーン内蔵型頭部受け装置。
【請求項５】
前記スピーカユニット部の骨伝導スピーカは、前記受信部とは有線で電気的に接続された独立した構造となっていることを特徴とする請求項１記載のヘッドホーン内蔵型頭部受け装置。
【請求項６】
スピーカユニット部の骨伝導スピーカへの通・断電は、常時は開成で、頭部の荷重で閉成となる常開スイッチを備えていることを特徴とする請求項１記載のヘッドホーン内蔵型頭部受け装置。
【発明の詳細な説明】
【０００１】
【発明の属する技術分野】
この発明は、難聴者を始めとして健常者にあっても寝ながら音楽等を聞くのに適するヘッドホーン内蔵型頭部受け装置に関する。
【０００２】
【従来の技術】
従来、寝ながら音楽を聞く手段として、例えば、枕の中にスピーカを直接組込んだものが知られている。
【０００３】
スピーカからの音声は、枕に頭部をのせた際にその耳から聞くようになっている（特許文献１参照）。
【０００４】
【特許文献１】
特開２００２−１２５８２５号公報
【０００５】
【発明が解決しようとする課題】
スピーカは枕の中に直接組込まれた一体型となっているため、スピーカのみ単独で使用することはできない。
【０００６】
枕の中に組込まれたスピーカは、耳で聞くタイプとなっているところから、耳もとにあるため小さい音量でも聞こえるメリットがあるが、基本的には所定の音量があって初めて聞こえるため、音は周囲に拡散する。したがって、例えば、入院時の病院等において音楽等を聞く場合には他人に迷惑をかける恐れがある。
【０００７】
この場合、イヤホーン等を用いれば、他人に迷惑をかけずに聞くことができるが、イヤホーンが邪魔になる。また、寝がえりに制約を受ける等の煩わしさが残る。
【０００８】
そこで、この発明は、イヤホーン等を使うことなく他人に迷惑をかけずに確実に聞くことができると共に、難聴者であっても使用場所に制約されることなく聞くことのできるヘッドホーン内蔵型頭部受け装置を提供することを目的としている。
【０００９】
【課題を解決するための手段】
前記目的を達成するために、この発明の請求項１にあっては、入力部と、その入力部からの入力信号を出力信号として出力する出力部とを備えた操作ユニット部と、前記操作ユニット部とは独立して構成され少なくとも前記出力部からの出力信号を受信する受信部とその受信部で受けた信号に基づき音声振動として出力する骨伝導スピーカと所定の場所へ取付けるための取付け手段とを備えたスピーカユニット部から成ることを特徴とする。
【００１０】
これにより、それぞれ独立したユニット構造となっているため、好きな場所への持ち運びが可能になると共に、例えば、スピーカユニット部を取付け手段によって自分の枕や椅子、あるいは、自動車等のヘッドレストに自由に装着して使用することが可能となる。
【００１１】
一方、骨伝導スピーカからは音声振動として頭部に伝達されるため健常者は無論として難聴者であっても確実に聞くことができるようになる。
【００１２】
また、この発明の請求項２にあっては、前記入力部を外部からの音声を電気の振動に変えて送るマイクロホーンとすることを特徴とする。
【００１３】
これにより、例えば、音声をマイクロホーンで拾うことが可能となるため、テレビ等の音声を自由に聞くことができると共に、電話でのやりとり、あるいは会話が寝ながら行なえるようになる。
【００１４】
また、この発明の請求項３にあっては、前記骨伝導スピーカを、複数に分割された独立した制振材によって支持することを特徴とする。
【００１５】
これにより、無駄に制振材を使用することがなくなると共に、骨伝導スピーカからの音声振動を制振材によって吸収することが可能となり、振動が周囲へ伝わるのを確実に回避する。
【００１６】
また、この発明の請求項４にあっては、前記制振材と制振材の間は、その制振材の変形を抑制する部材で構成されていることを特徴とする。
【００１７】
これにより、制振材の使用量が少なくて済むと共に、制振材の変形量を小さく抑えることが可能となる。
【００１８】
また、この発明の請求項５にあっては、前記スピーカユニット部の骨伝導スピーカは、前記受信部と有線で電気的に接続された独立した構造となっていることを特徴とする。
【００１９】
これにより、スピーカユニット部を軽量で薄型でコンパクト化することが可能となる。
【００２０】
また、この発明の請求項６にあっては、スピーカユニット部の骨伝導スピーカへの通・断電は、常時は開成で、頭部の荷重で閉成とする常開スイッチを備えていることを特徴とする。
【００２１】
これにより、スピーカユニット部を使用しない時には、電源をオフにできるため、無用な電力を使用しないで済むようになる。
【００２２】
【発明の実施の形態】
以下、図１乃至図５の図面を参照しながら、この発明の実施の形態について具体的に説明する。
【００２３】
図１はこの発明にかかるヘッドホーン内蔵型頭部受け装置１の全体の概要説明図、図２はそのブロック図をそれぞれ示している。
【００２４】
ヘッドホーン内蔵型頭部受け装置１は、独立した操作ユニット部３とスピーカユニット部５から成っていて、それぞれ独立して持ち運び可能となっている。
【００２５】
操作ユニット部３は、ＡＣの１００Ｖ電源を電源コード７によって取り入れ、ＤＣ電源とする電源回路９の外に、第１、第２の入力部１１、１３と第１、第２の入力部１１、１３からの入力信号を出力信号として前記スピーカユニット部５へ出力する出力部となる送信回路１５とを有している。
【００２６】
第１、第２の入力部１１、１３の内、第１の入力部１１は、例えば、オーディオ装置（図示していない）と接続コードを介して信号が直接入力されるライン入力部となっている。第１の入力部１１からの入力信号は、ＭＩＸ回路１７→音質補正回路１９→出力部となる送信回路１５を介して送信アンテナ２１から発信されるようになっている。
【００２７】
第２の入力部１３は、例えば、音声を拾うマイクロホーンとなっていて、第２の入力部１３からの入力信号は、マイクプリアンプ１３によって増幅された後、前記したＭＩＸ回路１７→音質補正回路１９→送信回路１５を介して送信アンテナ２１から発信されるようになっている。
【００２８】
なお、マイクプリアンプ１３を始めとして、前記ＭＩＸ回路１７、音質補正回路１９、送信回路１５は前記電源回路９からＤＣ電源が与えられるようになっている。
【００２９】
スピーカユニット部５は、厚みＨが約３０ｍｍ〜５０ｍｍと比較的薄く形成され、頭部を載せる柔軟性の外カバー２３に取付け手段となる綿ファスナータイプの取付けバンド２５を有している。
【００３０】
したがって、取付バンド２５により、例えば、図４に示すように枕カバー２６を介してスピーカユニット部５を枕２７に取付けて使用することが可能となる。この場合、図示していないが椅子や自動車等のヘッドレストに取付けて使用することも可能である。
【００３１】
スピーカユニット部５の前記外カバー２３内には、前記送信アンテナ２１からの信号を受信するバー状の受信アンテナ２９を始めとして薄い面状タイプに作られた受信部となる受信回路３１及び増幅回路３３並びに骨伝導スピーカ３５がそれぞれ配置セットされている。
【００３２】
スピーカユニット部５の受信アンテナ２９は、前記した操作ユニット部３の送信アンテナ２１からの信号を受信する無線タイプとなっているが、必ずしも無線タイプに特定されず、例えば、着脱可能な接続コードによって操作ユニット部３とスピーカユニット部５とがライン接続される有線タイプとすることも可能である。
【００３３】
一方、受信回路３１で受けた信号は増幅回路３３を介して骨伝導スピーカに伝達されるようになっている。
【００３４】
骨伝導スピーカ３５は、例えば、増幅回路３３からの音声を音声振動として頭部へ直接伝達することで、難聴者にあっても骨伝導を介して確実に伝えることが可能となっている。骨伝導スピーカ３５の数は頭を動かした時でもその頭部が確実に骨伝導スピーカ３５と接触し合うよう複数、少なくとも二つ以上、図３において左右に配置された構造とすることが望ましい。
【００３５】
左右の骨伝導スピーカ３５は、それぞれ独立した制振材３７の上面にセットされ、骨伝導スピーカ３５からの音声振動が前記制振材３７によって吸収され、外部への振動が阻止されるようになっている。制振材３７と制振材３７の間はクッション材３９によって仕切られ、頭部からの荷重が作用した時に前記制振材３７がクッション材３９によって大きく弾性変形するのが抑制され、充填量が少なくも制振材３７としての機能が維持されるようになる。
【００３６】
スピーカユニット部５の受信回路３１及び増幅回路３３は、図２に示すようにバッテリ４１からの電源が与えられるようになっている。バッテリ４１からの電源は、例えば、図３に示すように制振材３７の下部に配置された常開スイッチ４３を介してオン・オフに制御可能となっている。
【００３７】
常開スイッチ４３は、使用していない時は接点が開成状態に保持され、無駄な電流が流れないようになっている。
【００３８】
また、使用時にあっては頭の重みによって、制振材３７が弾性変形する時にその押圧力で閉成状態に保持されるようになっていて、必要時にのみバッテリ４１からの電流が流れるようになっている。
【００３９】
なお、バッテリ４１は、前記操作ユニット部３の電源回路９の充電用端子４３とスピーカユニット部５のバッテリ４１の充電用端子４５とを充電用コード４７で接続し合うことで、充電回路４９が働き、バッテリ４１の充電が行われる充電タイプとなっている。
【００４０】
なお、図１において操作ユニット部３に設けられた５１は電源スイッチ、５３は前記電源スイッチ５１のオン・オフを表示するＬＥＤ等の表示部、５５はマイクプリアンプ用のボリュームをそれぞれ示している。
【００４１】
このように構成された装置によれば、好きな場所への持ち運びが可能になると共に、スピーカユニット部５を取付けバンド２５によって、例えば、自分の枕２７に装着セットして使用することができる。この時、常開スイッチ４３によって使用しない時はオフとなっているため無用な電力を使用しない省電力となる。
【００４２】
一方、スピーカユニット部５に頭を接触させることで常開スイッチ４３はオンとなり、操作ユニット部３の第１の入力部１１又は第２の入力部１３から入力される音声は、スピーカユニット部５の骨伝導スピーカ３５から音声振動として頭部に伝達されるため、健常者は無論として難聴者であっても確実に聞くことができる。
【００４３】
この時、骨伝導スピーカ３５からの音声振動は、制振材３７によって吸収されるため、その振動が周囲へ伝わるのが回避される。
【００４４】
図５はスピーカユニット部５の別の実施形態を示したもので、骨伝導スピーカ３５を独立した構成とするものである。
【００４５】
即ち、骨伝導スピーカ３５を外カバー２３によってクッション材３９と一緒にセットする一方、受信回路３１を含む増幅回路３３、バッテリ４１等をケース５１内に収納配置し、骨伝導スピーカ３５とは有線５９で電気的に接続させる構造とするものである。
【００４６】
したがって、この実施形態によれば、スピーカユニット部５、骨伝導スピーカ３５を軽量で薄形にできるようになり、取扱いが容易となる等のメリットが得られる。
【００４７】
なお、操作ユニット部３には、タイマ機能やＡＭ・ＦＭ等のラジオ、あるいは照明機能をもたせるようにしてもよい。
【００４８】
【発明の効果】
以上、説明したようにこの発明の請求項１によれば、ユニット構造になっているため、好きな所へ持ち運べるようになると共に、スピーカユニット部を取付け手段によって自分の枕や椅子、あるいは、自動車のヘッドレスト等に自由に装着して使用することができる。
【００４９】
また、骨伝導スピーカからは音声振動として頭部に伝達されるため、健常者は無論として難聴者であっても容易、かつ、確実に聞くことができる。
【００５０】
また、この発明の請求項２によれば、音声をマイクロホーンで拾うことができるため、補聴器として機能し難聴者であってもテレビ等の音声を自由に聞くことが可能になると共に、電話でのやりとり、会話が寝ながら行なえるようになる。
【００５１】
また、この発明の請求項３によれば、骨伝導スピーカからの音声振動を制振材によって確実に吸収することが可能となるため、周囲へ振動が伝達されるのを防ぐことができる。
【００５２】
また、この発明の請求項４によれば、制振材の使用量が少なくて済むと共に、制振材の変形量を小さく抑えることができる。
【００５３】
また、この発明の請求項５によれば、スピーカユニット部の骨伝導スピーカを取扱いが容易で、かつ、軽量でコンパクト化にすることができる。
【００５４】
また、この発明の請求項６によれば、スピーカユニット部を使用しない時には、電源をオフにできるため、無用な電力を使用しないで済むようになり、省電化が可能となる。
【図面の簡単な説明】
【図１】この発明にかかるヘッドホーン内蔵型頭部受け装置全体の概要説明図。
【図２】ヘッドホーン内蔵型頭部受け装置全体のブロック図。
【図３】スピーカユニット部の概要切断説明図。
【図４】ヘッドホーン内蔵型頭部受け装置を枕に取付けた状態の概要斜視図。
【図５】スピーカユニット部の骨伝導スピーカを独立した構造とした概要説明図。
【符号の説明】
３  操作ユニット部
５  スピーカユニット部
１１  第１の入力部
１３  第２の入力部（マイクロホーン）
１５  送信回路（出力部）
２５  取付けバンド（取付け手段）
３１  受信回路（受信部）
３５  骨伝導スピーカ
３７  制振材
３９  クッション材
４３  常開スイッチ
【図１】
2004275419.tif 000003
【図２】
2004275419.tif 000004
【図３】
2004275419.tif 000005
【図４】
2004275419.tif 000006
【図５】
2004275419.tif 000007